【事件の表示】
　平成　９年特許願第　４９８０２号「パチンコ遊技機における基板組付構造」拒絶査定に対する審判事件［平成１０年　８月２５日出願公開、特開平１０−２２５５６２］について、次のとおり審決する。
【結　論】
　本件審判の請求は、成り立たない。
【理　由】
１．手続の経緯、本願発明
　本願は、平成９年２月１７日の出願であって、その発明は、平成１２年１２月１１日付の手続補正書により補正された明細書及び図面の記載からみて、その特許請求の範囲の請求項１乃至３に記載された「パチンコ遊技機における基板組付構造」にあると認められるところ、その特許請求の範囲の請求項１に係る発明（以下、「本願発明」という。）は以下のとおりのものである。
　「遊技盤面の略中央位置に図柄表示装置を備えたパチンコ遊技機において、遊技盤の裏面側に前記図柄表示装置を制御すべく相互に電気的に接続される複数の制御基板と、これらの制御基板とは接続されず他の制御基板の中継的役割若しくは他の制御基板間の中継的役割を果たす中継基板とが立体積層状に組付けられていることを特徴とするパチンコ遊技機における基板組付構造。」（以下、「本願発明」という。）
　なお、平成１３年４月１６日付け手続補正は、当該補正により補正された発明が本願特許出願の際独立して特許を受けることができるものでないという理由により、本日付けで決定をもって却下された。
　　　
２．引用刊行物に記載の発明
　（１）原査定の拒絶の理由に引用された刊行物である特開平１−２９１８８３号公報（以下、「引用例」という。）には、以下の事項が記載されている。
　「可変表示装置の可変表示器および遊技状態表示ランプのリード線が可変表示装置の裏側に設置された配線処理部材に中継接続され、配線処理部材に接続された役物制御装置に通ずる別のリード線を介して可変表示器および遊技状態表示ランプが役物制御装置と連係されるようになっているので可変表示装置の配線処理やメンテナンスが容易となる。また、可変表示装置は配線処理等も含めてワンユニット化されているので、遊技盤への取付けも容易となる。」（第２頁左下欄第９〜１８行）、
　「第２図〜第８図には上記可変表示装置５の詳しい構成例を示す。可変表示装置５は遊技盤１の取付開口部１ａ（第８図）に取り付けられる構成基枠５１を備え、該構成基枠５１の前面側には前飾り板５２が取り付けられ、背面側には傾斜付勢部材５３、表示部材５４、表示基板５５および配線処理部材５６が順に取り付けられている。」（第５頁右下欄第１６行〜第６頁左上欄第３行）、
　「前飾り板５２の背面側には取付用支柱５２ｂ，５２ｂを介してランプ基板５２１が一体的に取り付けられている。」（第６頁右上欄第１〜３行）、
　「これら取付支柱５１ｉおよび位置決め支柱５１ｋを介して第５図に示すようにランプ基板５２３が設置されている。」（第６頁左下欄第１５〜１７行）、
　「また、表示部材５４の上端部中央背面側にはその背面部に突設された取付用支柱５４ｇ，５４ｇにランプ基板５４１が取り付けられており、」（第７頁左下欄第１４〜１７行）、
　「上記表示基板５５は前記表示部材５４の拡大表示窓５４ａを介して遊技者に見えるように可変表示を行なわせるもので、前記表示部材５４の背面側に、その背面に突設された取付支柱５４ｅを介して所定間隔隔てた状態で取り付けられている。この表示基板５５の前面側中央には可変表示器５５１がハンダ付け等によって設置されている。」（第７頁右下欄第２〜８行）、
　「表示基板５５の背面部には、可変表示器５５１および入賞記憶表示器５５２に電気を供給するリード線５５６〜５５８を設置するための接続基板５５３〜５５５が取り付けられている。」（第８頁左上欄第１〜４行）、
　「可変表示装置５に表示基板５５が取り付けられた状態においては、第８図に示すように取付支柱５４ｅによって、表示基板５４の背面と可変表示器５５１の前面との間に所定の間隔Ｄ（ｍｍ）の余裕空間が開けられることにより、表示部材５４、表示基板５５、配線処理部材５６を取り付ける際の締付け強さを吸収することができ、組付け作業による可変表示器５５１の破損を防止することができる。上記配線処理部材５６は可変表示装置５の配線処理を効率良く簡素に行なうための中継基盤で、前記表示基板５５の裏側に取り付けられている。この配線処理部材５６の上部と下部にはそれぞれ配線処理用スリット５６ａ，５６ｂが形成され、それらスリット５６ａ，５６ｂの奥部に接続基板嵌合用孔５６ｃ，５６ｄが形成されている。また、この配線基板５６の背面側上部には屋根状の配線保護片５６ｅが突設され、該配線保護片５６ｃの下方に位置する配線処理部材５６の裏側には配線用の中継基板５６１が取り付けられている。この中継基板５６１の背面側には配線用の接続端子５６１ａ〜５６１ｄが設置されるとともに接続基板５６１ｅが設置されている。その接続基板５６１ｅには後述の制御装置に接続されるリード線５６１ｆが取り付けられている。また、配線処理部材５６の裏側の中継基板５６１の隣には可撓性の金属性コードバインダー５６２が設置されている。上記構成の配線処理部材５６は次のようにして表示基板５５の裏側に取り付けられている。即ち、前記表示基板５５のリード線５５６，５５７が配線処理用スリット５６ｂを介して接続基板嵌合用孔５６ｃ中に、また、リード線５５８が配線処理用スリット５６ｂを介して接続基板用孔５６ｄ中に至るようにする。その後、配線処理部材５６を表示基板５５に近接させて、接続基板用孔５６ｃが接続基板５５３および５５４に、また、接続基板用孔５６ｄが接続基板５５５にそれぞれ嵌まるようにする。しかる後、図示省略の止着用ビスを止着孔５６ｔ，５５ａの中を介して取付支柱５４ｅのビス孔５４ｆ中に圧入させることによって、表示基板５５と配線処理部材５６が表示部材５４の裏側に取り付けられている。上記のように、配線処理部材５６に配線処理用スリット５６ａ，５６ｂが設けられ、これら配線処理用スリット５６ａ，５６ｂを介してリード線５５６〜５５８が接続基板嵌合用孔５６ｃ，５６ｄ中に導かれるようになっているので、組立の際には、配線処理部材５６の配線処理用スリット５６ａ，５６ｂを介してリード線５５６〜５５８を接続基板嵌合用孔５６ｃ，５６ｄ中に容易に導くことができて、組立時における配線処理がスムーズに行なえることとなる。そして、配線処理部材５６に取り付けられた中継基板５６１の配電用接続端子５６１ａ〜５６１ｄに、上記ランプ基板５２３，５２３，５２１，５４１のリード線に取り付けられたコネクタ５２３ｄ，５２３ｄ，５２１ｃ，５４１ｂが第３図に示すようにそれぞれ嵌着されている。また、可変表示器５５１のリード線５５６〜５５８が第３図に示すようにコードバインダー５６２によって収束され、それらの接続コネクタ５５６ａ〜５５８ａが後述の制御装置に接続されている。また、中継基板５６１のリード線５６１ｆの接続コネクタ５６１ｇも後述の制御装置に接続されている。このようにして、可変表示装置５の配線処理が整然と行なわれている。」（第８頁右上欄第１行〜第９頁左上欄第７行）、
　「この実施例に係るパチンコ遊技機によれば、上記のように、可変表示装置５の可変表示器５５１および遊技態様表示ランプ５２３ａ，５４１ａ等のリード線が可変表示装置５の裏側に設置された配線処理部材５６中に中継基板５６１を介して接続された役物制御装置６１０（第１３図）に通ずる別のリード線５６１ｆにより可変表示器５５１および遊技状態表示ランプ５２３ａ，５４１ａ等が役物制御装置６１０と連係されるようになっているので可変表示装置５の配線処理やメンテナンスが容易となり、可変表示装置５の配線処理の簡素化、メンテナンスの迅速化が図れる。また、可変表示装置５は配線処理等も含めてワンユニット化されているので、遊技盤１への取付けも容易に行なうことができる。なお、上記実施例では、配線処理部材５６に設置された中継基板５６１に接続端子５６１ａ〜５６１ｄが設置され、該接続端子５６１ａ〜５６１ｄに、可変表示器５５１ａのリード線５５６〜５５８に取り付けられたコネクタ５５６ａ〜５５８ａや遊技状態表示ランプ５２３ａ，５４１ａのリード線に取り付けられたコネクタ５２３ｄ，５４１ｂが接続された構成としたが、接続端子５６１ａ〜５６１ｄやコネクタ５５６ａ〜５５８ａを用いず可変表示器５５１ａのリード線５５６〜５５８や遊技状態表示ランプ５２３ａ，５４１ａのリード線を中継基板５６１に直接取り付けるようにしてもよい。」（第４０頁左下欄第４行〜右下欄第１１行）。
　　　　
　（２）これらの記載及び図面第１乃至８図によれば、引用例には、以下の発明が記載されているものと認められる。
　「遊技盤面の略中央位置に可変表示装置５を備えたパチンコ遊技機において、遊技盤の裏面側に前記可変表示装置５を制御する表示基板５５と、前記表示基板５５及びランプ基板５２３，５２３，５２１，５４１と役物制御装置６１０との中継的役割を果たす中継基板としての配線処理部材５６及び中継基板５６１とが立体積層状に組付けられているパチンコ遊技機における基板組付構造。」（以下、「引用発明」という。）
　　　　
３．当審の判断
　（１）本願発明と引用発明との対比
　本願発明と引用発明とを対比すると、両者は何れもパチンコ遊技機における制御基板組付構造に関する発明であって、引用発明における、「可変表示装置５」、「表示基板５５」、「ランプ基板５２３，５２３，５２１，５４１と役物制御装置６１０」は、それぞれ、本願発明における、「図柄表示装置」、「制御基板」、「他の制御基板」に相当し、引用発明における「表示基板５５及びランプ基板５２３，５２３，５２１，５４１と役物制御装置６１０との中継的役割を果たす中継基板としての配線処理部材５６及び中継基板５６１」は、本願発明における「図柄表示装置を制御する制御基板とは接続されず他の制御基板の中継的役割若しくは他の制御基板間の中継的役割を果たす中継基板」と対比して、「他の制御基板との中継的役割を果たす中継基板」において一致するから、両者は、以下の点でそれぞれ、一致ならびに相違するものと認められる。
　一致点．「遊技盤面の略中央位置に図柄表示装置を備えたパチンコ遊技機において、遊技盤の裏面側に前記図柄表示装置を制御する制御基板と、他の制御基板との中継的役割を果たす中継基板とが立体積層状に組付けられているパチンコ遊技機における基板組付構造。」。
　相違点Ａ．「図柄表示装置を制御する制御基板が、本願発明では、相互に電気的に接続される複数の制御基板が立体積層状に組付けられている構成であるのに対して、引用発明では、単一の制御基板からなる構成である点」。
　相違点Ｂ．「中継基板が、本願発明では、図柄表示装置を制御する制御基板とは接続されず他の制御基板の中継的役割若しくは他の制御基板間の中継的役割を果たす構成であるのに対して、引用発明では、図柄表示装置を制御する制御基板と他の制御基板との中継的役割若しくは他の制御基板間の中継的役割を果たす構成である点」。
　　　
　（２）相違点Ａについて
　一般的に、パチンコ遊技機における図柄表示装置を制御する制御基板を相互に電気的に接続される複数の制御基板により構成することは、周知技術（例えば、実願昭６２−７９９９０号（実開昭６３−１８８０７７号）のマイクロフィルムには、表示装置１を制御する第１基板２と第２基板３とが相互に電気的に接続されて立体積層状に組付けられている構成が、特開平７−１８５０８３号公報には、可変表示装置６を制御するアナログ基板１２５とデジタル基板１２７とが相互に電気的に接続されて立体積層状に組付けられている構成が記載されている。以下、「周知技術Ａ」という。）である。
　そうすると、引用発明における図柄表示装置を制御する制御基板の構成について前記周知技術Ａを採用して、相違点Ａにかかる本願発明の構成のようにすることは、当業者が容易に想到できるものと認められる。
　　　　　
　（３）相違点Ｂについて
　i．前記２．（１）の引用例の摘示によれば、引用例には、可変表示装置５を制御する表示基板５５の信号を経由するリード線５５６〜５５８及びランプ基板５２３，５２３，５２１，５４１の信号を経由するリード線が配線処理部材５６に設置された中継基板５６１に中継接続され、さらに前記表示基板およびランプ基板の信号が中継基板５６１を介して別のリード線５６１ｆにより役物制御装置６１０に接続される接続構成としての実施例が開示されているが、引用例の第８頁右下欄第１９行〜第９頁左上欄第３行及び図面第３図には、表示基板５５の信号を経由するリード線５５６〜５５８が中継基板５６１に中継接続されることなく、接続コネクタ５５６ａ〜５５８ａにより役物制御装置６１０に直接接続されるとともに、ランプ基板５２３，５２３，５２１，５４１の信号を経由するリード線が配線処理部材５６に設置された中継基板５６１に中継接続され、さらに前記ランプ基板の信号が中継基板５６１を介して別のリード線５６１ｆにより役物制御装置６１０に接続される接続構成としての実施例が開示されており、後者の実施例にかかる中継基板の接続構成は、図柄表示装置を制御する制御基板とは接続されず他の制御基板の中継的役割若しくは他の制御基板間の中継的役割を果たす中継基板の接続構成を示唆するものである。
　ii．一方、図柄表示装置の図柄表示体を制御する制御基板とは接続されず他の制御基板の中継的役割若しくは他の制御基板間の中継的役割を果たす中継基板が図柄表示装置の図柄表示体を制御する制御基板を収納する基板収納ボックスの背面に図柄表示体と平行に取り付けられようにした構成は、周知技術（例えば、特開平３−５５０８１号公報には、画像表示装置４を制御する液晶駆動基板５３をカバーする保護ケース５４の外表面に飾りランプ３０ａ、３０ｂ、ＬＥＤ３２ａ〜３２ｄ、ソレノイド４４等の中継基板が液晶表示パネル５２と平行に取り付けられている構成が記載されている。以下、「周知技術Ｂ」という。）である。
　iii．そうすると、引用発明における、図柄表示装置を制御する制御基板と中継基板とが立体積層状に組付けられている構成、及び、前記（３）i．に示した引用例における後者の実施例にかかる、図柄表示装置を制御する制御基板と該制御基板とは接続されず他の制御基板との中継的役割を果たす中継基板とが立体積層状に組付けられている構成を併せ考えて、これに前記周知技術Ｂを適用して、相違点Ｂにかかる本願発明の構成のようにすることは、当業者が容易に想到できるものと認められる。
　　
　（４）そして、本願発明における、遊技盤裏面に図柄表示装置の複数の制御基板と、その他の各種制御基板類の中継的役割を果たす中継基板とが立体積層状に組付けられているので、図柄表示装置の制御基板類はもとより他の遊技盤裏面に取付けられる制御基板類の取付占有面積が有効に確保され、また中継基板を介して各種制御基板類の配線接続関係も整然とし円滑に行われるため、配線接続作業あるいは保守点検のメンテナンス上の安全確実性も保証されるという作用効果は、引用例に記載された技術的事項（引用発明及び前記後者の実施例）に前記周知技術を適用したものにおいて当業者が容易に予測できるものと認められる。
　　　
４．むすび
　以上のとおり、本願発明は、引用例に記載された技術的事項に周知技術を適用することによって当業者が容易に発明をすることができたものと認められるので、特許法第２９条第２項の規定により特許を受けることができない。
　よって、結論のとおり審決する。